(57)【要約】      （修正有）【課題】収納物に合わせて大きさを調節でき、かつケースの形が崩れることなく、出し入れが簡単な収納ケースを提供する。【解決手段】折り目のある長方形の板状体１で衣類を囲むようにコノ字型または四角形や多角形のフレームを作り、フレームで衣類等をその量に合わせて隙間なく囲みビニール袋等の袋状の中に収める。衣類の量に合わせる手段は板状体１の折り目２のところを衣類の量にあわせて、曲げたり、また挟持部材１０、１１、１４や嵌合部材を用いて曲がらないようにする。【選択図】図１
2016209051.tif 000002
【特許請求の範囲】
【請求項１】
長方形の短い辺に平行な複数の折り目を持つ板状体であり、前記折り目を曲げることにより、折り目を介して連接する板状体を、コノ字型または多角形のフレームに形成し、衣類等をその量に合わせて隙間なく囲めるようにした収納フレーム。
【請求項２】
請求項１の収納フレームの複数の折り目が折曲しないように固定する挟持部材であり、当該部材は、平行に対面した二枚の同形の板状体が、同じ底面でつながっている、U字型又はコノ字型をしている。当該挟持部材を設けた請求項１の収納フレームである。
【請求項３】
前記挟持部材である平行に対面する板状体がそれぞれ９０度折曲し、かつ同じ底面でつながっている直角型挟持部材を設けた請求項１の収納フレームである。
【請求項４】
請求項１の連接するそれぞれの板状体の側縁（折り目）に凸設部と凹設部を設けた請求項１の収納フレームである。
【請求項５】
当該凸設部の内側に上部が下部よりも大きい凸部を当該下部で当該凸設部に融着した板状体からなる請求項１の収納フレームである。
【請求項６】
当該凸設部の周回に溝が設けられている板状体からなる請求項１の収納フレームである。
【請求項７】
前記フレームの折目を介して直角に連接する板状体に１個から複数個の凸部を融着した請求項１の収納フレームである。
【請求項８】
両斜面に前記の凸部と対設する凹部を内設している直角三角柱の嵌合部材を持つ請求項１の収納フレームである。
【発明の詳細な説明】
【技術分野】
【０００１】
本発明は衣類等の収納に関する。
【背景技術】
【０００２】
従来の家庭の衣類等の収納ケースは、プラスチックでできた箱や、不織布でできた蓋をファスナーで開閉するものや、文献１のように、組み立てや分解が簡単に行えるように枠と直管で組み立てた骨組みを袋状カバーで覆い、底面の下部枠の周囲を面ファスナーで留めることを特徴としたもの。また文献２のように、収納ケースの側面部を周回するように設けられたファスナーの係合、解除により衣類の量に合わせて、側面部の高さを伸縮可能にする収納ケースがある。
【先行技術文献】
【特許文献】
【０００３】
【特許文献１】実用新案登録第３１４９０５９号
【特許文献２】実用新案登録第３１６２４１５号
【発明の概要】
【発明が解決しようとする課題】
【０００４】
従来のプラスチック等の収納ケース、や特許文献１のように、枠組みを袋カバーで覆ったものは、ケースの形が固定されているため、収納ケースの容量より、衣類等の内容物が少ない場合無駄な空間がうまれた。
【０００５】
また、文献１の枠のないものもあるが、少しでも空間ができる場合は重ねるとケースの形がくずれ、ずれ落ちたりし押入れの空間が有効に活用できない。
【０００６】
また、文献２のようにファスナーの位置を変えることで、側面部の高さを調節するものがあるが側面部も布であり、硬さがないために、重ねると衣類等に直接圧力がかかりしわもできやすい。
【０００７】
また、文献２は、収納物の高さに合わせて、ケースの側面部を周回するように設けられたファスナーを係合やまた、解除をしなければならず手間がかかる。
【０００８】
本発明は、これらの問題点を解決するために発明されたものであり、収納物に大きさを調節でき、かつケースの形が崩れることなく、出し入れを簡単にすることを目的とするものである。
【課題を解決するための手段】
【０００９】
まず、長方形の板状体に図１，９、２０、２１のように、板状体（１）の両端（７）に平行なる複数本の折り目（２）を設ける。
【００１０】
また折り目を介して連接する板状体を直角に折曲し固定する直角型挟持部材（１４）や三角柱の嵌合部材（１６）を用いて  衣類大きさに合わせたフレームの底面（５）を作る。（図１、９、２０，２２参照）
【００１１】
次にフレームの側面（６）を衣類の量にあわせた高さになるまで折り目が折曲しないよう、折り目を挟持部材（１０）や板状体（１）に凹凸設した嵌合部材（１５）で固定する。（図１３〜１７，２０，２１参照）
【００１２】
最後に板状体（１）の両端（７）を挟持部材（１１）又は（１２）又は（１３）又は（１４）等で接続する。
【００１３】
以上のように、内容物の容量、形に合わせてフレーム（９）を形成し、フレーム（９）で囲ったものをビニール袋等で覆い収納する。または、最初からビニール袋等の底にフレーム（９）の底が重なるようにフレーム（９）を内蔵し上記のように衣類を入れていき、最後にビニール袋等の開口部を当該袋に接合された面ファスナー（４）等で塞ぐ。
【発明の効果】
【００１４】
本発明の収納フレームとビニール袋等を使用することによって、内容物の形や量に合わせた型崩れすることのないしっかりした収納ケースができあがる。さらに、形成されたフレームが四角い場合は重ねることもでき、押し入れの中に無駄な空間もできず、すっきりと収納できる。袋を透明にすれば、内容物がよくわかり、出し入れにも無駄がなく、型崩れしないので、いくら出し入れしてもすっきりとおさまっている、２年間他の収納ケースと比べた結果の感想である。
【図面の簡単な説明】
【００１５】
【図１】本発明の板状体を衣類を収納するフレーム型に形成した図。
【図２】板状体の折り目が曲がらないように固定する挟持部材１０の上面図
【図３】上記１０の斜視図
【図４】板状体の両端をつなぎ合わせる挟持部材１１の斜視図
【図５】上記１１の上面図
【図６】板状体の両端を直角に固定するための挟持部材１２の斜視図
【図７】上記１２の上面図
【図８】板状体の両端を直角に固定するための挟持部材１３の斜視図  直角に曲げられた２枚の平行な板１８と１９が１７の接続材でつながっている。
【図９】直角に固定する挟持部材１２と１３で板状体１の両端７を接続しているところの斜視図
【図１０】直角に曲げられた板状体１８と１９が平行な状態で底面２２でつながっている挟持部材の斜視図（仕切りがないので、折り目を介して直角に連接した板状体１や８を側面から挟むことができる。）
【図１１】上記１４を使用したところの斜視図
【図１２】折り目の両端に凸設部と凹設部を設けた板状体８の斜視図
【図１３】上記の連接する２枚の板状体8を直角に折り曲げたところの斜視図
【図１４】凸設部２４の断の面図。凸設部２４の下に凸部２５が融着されている。
【図１５】板状体８を連接するため嵌合部材１５を使用している正面図
【図１６】凸設部が凹設部と嵌合しているところの断面図。
【図１７】凸設部が凸部と一体に形成されたところの断面図。
【図１８】凸設部が融着された板状体の斜視図。
【図１９】凹部が埋設されている直角三角柱の嵌合部材の斜視図。
【図２０】上記嵌合部材１６を直角に連接する板状体の折り目に沿って上記凹部に対設するよう具設したところの斜視図
【図２１】挟持部材で収納フレームを完成した図
【図２２】挟持部材と嵌合部材で収納フレームを完成した図
【発明を実施するための形態】
【００１６】
以下、本発明の実施の形態を図１〜２２において説明する。
【００１７】
長方形の板状体(１)を図（１、９，２１，２２）のような四角いフレームにするため、
まず、底面（５）をつくる。
【００１８】
図９，２１のように、連接する板状体が折り目（２）を介して直角に折曲させる場合はし、それぞれ挟持部材（１４）又は嵌合部材（１６）で固定し、底面（５）をつくる。
【００１９】
しかし、切り離された、板状体だけで底面を形成する場合は直角型挟持部材（１２，１３、）を用いる。  
【００２０】
図１９の三角柱の嵌合部材（１６）には、板状体（９）に融着された１個又は複数個の凸部（２０）があり、それに対設するように  当該両斜面に凹部（２１）が内設されている。この凸部と凹部を嵌合することにより
前記底面を形成する。
【００２１】
以上のようにして形成された底面（５）をビニール袋等の底に重なるように設置する。
【００２２】
前記底面（５）に衣類等を入れながら、その嵩（量）に合わせて、でフレームの側面（６）の
折り目（２）が折曲しないように折り目（２）に挟持部材（１０）を嵌合する。（図１参照）
【００２３】
又は図１２〜１７のように、折り目でもある側縁に凸設部と凹設部を持つ板状体（８）を嵌合部材
（１５）により嵌合することにより前記板状体が折曲しないようにする。
【００２４】
図１４，１６のように、嵌合部材１５は凸設部に凹設部よりはすこし大きめの凸部（２５）を融着し凹部と嵌合したときに、はずれにくくする。
【００２５】
又は、図１７のように、凸設部と凸部を一体に形成する。
【００２６】
衣類等を囲んだ後に、残った板状体の両端が接合できるような位置にある時は図１のように両端（７）を１１（Ｈ型挟持部材）で接合する。
【００２７】
又は、図９，２１，２２のように、フレーム（９）の角に板状体の両端が来るようにしたときは、挟持部材１２，１３，１４で接合する。
【００２８】
以上のようにフレームで収納物を囲うことができたら、ビニール袋の開口部を折り曲げてビニールに貼りつけておいた面ファスナー（４）で留める。
【００２９】
もし、板状体が衣類等の嵩さ（量)が高くフレーム（９）の上部を板状体で蓋ができなくなった場合はそのままビニール袋の開口部を面ファスナー（４）などで塞ぐ。このような上部に板状体のないフレームでも、重ねることは可能であるが、押入れに空間ができないくらいの高さになるので  重ねる必要もなくなる。
【００３０】
折り目のない四角い板状体を複数枚使用してフレームを作る時は直角型挟持部材（１２），（１３），（１４）と挟持部材（１０）を使用する。
【符号の説明】
【００３１】
１    長方形の板状体
２    板状体の折り目
３    ビニール袋
４    面ファスナー
５    フレームの底面
６    フレームの側面
７    板状体の両端
８    折り目である側縁に凸設部と凹設部を持つ板状体
９    長方形の板状体１又は８で作られたフレーム
１０  コノ字型挟持部材
１１  Ｈ型挟持部材
１２  直角型挟持部材Ａ
１３  直角型挟持部材Ｂ
１４  直角型挟持部材Ｃ
１５  凸設部と凹設部を持つ嵌合部材
１６  三角柱の嵌合部材
１７  挟持部材１３の接合部
１８  挟持部材１３を形成する平行に向かい合う板
１９  上記と同じ
２０  板状体８に融着された凸部
２１  嵌合部材１６に埋設された凹部
【図１】
2016209051.tif 000003
【図２】
2016209051.tif 000004
【図３】
2016209051.tif 000005
【図４】
2016209051.tif 000006
【図５】
2016209051.tif 000007
【図６】
2016209051.tif 000008
【図７】
2016209051.tif 000009
【図８】
2016209051.tif 000010
【図９】
2016209051.tif 000011
【図１０】
2016209051.tif 000012
【図１１】
2016209051.tif 000013
【図１２】
2016209051.tif 000014
【図１３】
2016209051.tif 000015
【図１４】
2016209051.tif 000016
【図１５】
2016209051.tif 000017
【図１６】
2016209051.tif 000018
【図１７】
2016209051.tif 000019
【図１８】
2016209051.tif 000020
【図１９】
2016209051.tif 000021
【図２０】
2016209051.tif 000022
【図２１】
2016209051.tif 000023
【図２２】
2016209051.tif 000024